(57)【要約】【課題】  Ｗｅｂ情報提供サーバからＷｅｂ情報を受信する場合のユーザ側の負担を軽減する。【解決手段】  車載情報提供システム１は、Ｗｅｂ情報提供サーバ９からダウンロードされたＷｅｂ情報と地上波デジタル放送局１８から受信されたデジタル放送とを切替えて表示したり音声出力したりする。ユーザが必要とする情報を地上波デジタル放送で受信することにより、Ｗｅｂ情報提供サーバ９からダウンロードするＷｅｂ情報のデータ量を低減することができ、ユーザ側の負担を軽減することができる。【選択図】  図１
2005027231.tif 000002
【特許請求の範囲】
【請求項１】
Ｗｅｂ情報提供サーバから送信されたＷｅｂ情報を電話網を通じて受信するＷｅｂ情報受信手段を備えた車載情報提供システムであって、
デジタル放送局から放送されているデジタル放送を受信するデジタル放送受信手段と、
前記Ｗｅｂ情報受信手段により受信されたＷｅｂ情報と前記デジタル放送受信手段により受信されたデジタル放送とを切替えて出力手段から出力させる制御手段とを備えたことを特徴とする車載情報提供システム。
【請求項２】
請求項１に記載した車載情報提供システムにおいて、
車両の現在位置を検出する現在位置検出手段を備え、
前記制御手段は、前記デジタル放送受信手段により受信されたデジタル放送を前記現在位置検出手段により検出された車両の現在位置に基づいて自動選局して前記出力手段から出力させることを特徴とする車載情報提供システム。
【請求項３】
請求項１または２に記載した車載情報提供システムにおいて、
ユーザが位置を指定するための位置指定手段を備え、
前記制御手段は、前記デジタル放送受信手段により受信されたデジタル放送を前記位置指定手段により指定された位置に基づいて自動選局して前記出力手段から出力させることを特徴とする車載情報提供システム。
【請求項４】
請求項１または２に記載した車載情報提供システムにおいて、
ユーザがメニューを選択するためのメニュー選択手段を備え、
前記制御手段は、前記デジタル放送受信手段により受信されたデジタル放送に含まれている文字データを解析してメニューを前記出力手段から出力させ、ユーザが前記メニュー選択手段によりメニューを選択したときに、選択されたメニューに対応するＷｅｂ情報をＷｅｂ情報提供サーバから前記Ｗｅｂ情報受信手段に受信させて前記出力手段から出力させることを特徴とする車載情報提供システム。
【発明の詳細な説明】
【技術分野】
【０００１】
本発明は、Ｗｅｂ情報提供サーバから送信されたＷｅｂ情報を電話網を通じて受信するＷｅｂ情報受信手段を備えた車載情報提供システムに関する。
【背景技術】
【０００２】
従来より、Ｗｅｂ情報提供サーバから送信されたＷｅｂ情報を電話網を通じてダウンロードして出力するように構成された車載情報提供システムがある（例えば特許文献１参照）。
【特許文献１】特開２００２−２３０６９５号公報
【発明の開示】
【発明が解決しようとする課題】
【０００３】
ところで、この種の車載情報提供システムにおいては、Ｗｅｂ情報提供サーバからダウンロードされるＷｅｂ情報のデータ量が大きいと、通信時間が増大することになり、また、通信時間に応じて通信コストが課金される従量課金制が適用されていれば、通信コストも増大することになり、ユーザ側の負担が大きくなるという問題がある。
【０００４】
本発明は、上記した事情に鑑みてなされたものであり、その目的は、Ｗｅｂ情報提供サーバからＷｅｂ情報を受信する場合のユーザ側の負担を軽減することができる車載情報提供システムを提供することにある。
【課題を解決するための手段】
【０００５】
請求項１に記載した発明によれば、制御手段は、Ｗｅｂ情報受信手段により受信されたＷｅｂ情報とデジタル放送受信手段により受信されたデジタル放送とを切替えて出力手段から出力させる。これにより、従来のものとは異なって、Ｗｅｂ情報提供サーバからＷｅｂ情報を受信して出力することに加えて、デジタル放送局から放送されているデジタル放送を受信して出力することになるので、ユーザが必要とする情報をデジタル放送で受信することにより、Ｗｅｂ情報提供サーバから電話網を通じて受信するＷｅｂ情報のデータ量を低減することができ、ユーザ側の負担を軽減することができる。
【０００６】
請求項２に記載した発明によれば、制御手段は、デジタル放送受信手段により受信されたデジタル放送を車両の現在位置に基づいて自動選局して出力手段から出力させる。これにより、車両の現在位置に特化した番組（例えば現在位置の地域情報を宣伝する観光案内番組など）をユーザに自動的に提供することができ、ユーザが好んで視聴する可能性の高い番組をユーザに自動的に提供することができる。
【０００７】
請求項３に記載した発明によれば、制御手段は、ユーザが位置指定手段により位置を指定すると、デジタル放送受信手段により受信されたデジタル放送をユーザにより指定された位置に基づいて自動選局して出力手段から出力させる。これにより、ユーザが指定した位置に特化した番組（例えば目的地の地域情報を宣伝する観光案内番組など）をユーザに自動的に提供することができ、この場合も、ユーザが好んで視聴する可能性の高い番組をユーザに自動的に提供することができる。
【０００８】
請求項４に記載した発明によれば、制御手段は、デジタル放送受信手段により受信されたデジタル放送に含まれている文字データを解析してメニューを出力手段から出力させ、ユーザがメニュー選択手段によりメニューを選択すると、選択されたメニューに対応するＷｅｂ情報をＷｅｂ情報提供サーバからＷｅｂ情報受信手段に受信させて出力手段から出力させる。これにより、ユーザがデジタル放送を視聴している途中で例えば好みのメニューを選択すると、その選択されたメニューに関連するＷｅｂ情報をＷｅｂ情報提供サーバから受信させてユーザに提供することができ、使い勝手を高めることができる。
【発明を実施するための最良の形態】
【０００９】
以下、本発明の一実施形態について、図面を参照して説明する。図１は、車載情報提供システムの全体構成を概略的に示している。車両に搭載されている車載情報提供システム１は、通信装置２と制御装置３とから構成されている。
【００１０】
通信装置２は、制御部４、第１の携帯電話無線部５（本発明でいうＷｅｂ情報受信手段）、第２の携帯電話無線部６（本発明でいうＷｅｂ情報受信手段）、狭域無線部７、シリアル通信インタフェース部８を備えて構成されている。制御部４は、ＣＰＵ、ＲＡＭ、ＲＯＭおよびＩ／Ｏバスなどから構成されており、制御プログラムを実行して通信装置２の動作全般を制御する。
【００１１】
第１の携帯電話無線部５、第２の携帯電話無線部６および狭域無線部７は、それぞれ第１の携帯電話無線方式（例えばＷ−ＣＤＭＡ）による携帯電話無線通信、第２の携帯電話無線方式（例えばｃｄｍａ２０００）による携帯電話無線通信および狭域無線方式（例えばＤＳＲＣ、ＥＴＣ、ＩＥＥＥ８０２．１１ｂに準拠した無線ＬＡＮなど）による狭域無線通信を行う。シリアル通信インタフェース部８は、Ｗｅｂ情報提供サーバ９から第１の携帯電話無線部５、第２の携帯電話無線部６および狭域無線部７のいずれかにより受信されたＷｅｂ情報を制御装置３に出力する。
【００１２】
制御装置３は、制御部１０（本発明でいう制御手段）、地上波デジタル放送受信機１１（本発明でいうデジタル放送受信手段）、ＧＰＳ受信機１２（本発明でいう現在位置検出手段）、操作部１３（本発明でいう位置指定手段、メニュー選択手段）、記憶部１４、表示部１５（本発明でいう出力手段）、音声出力部１６（本発明でいう出力手段）およびシリアル通信インタフェース部１７を備えて構成されている。制御部１０は、ＣＰＵ、ＲＡＭ、ＲＯＭおよびＩ／Ｏバスなどから構成されており、制御プログラムを実行して制御装置３の動作全般を制御する。
【００１３】
地上波デジタル放送受信機１１は、地上波デジタル放送局１８から放送されている地上波デジタル放送を受信する。ＧＰＳ受信機１２は、ＧＰＳ衛星から受信されたＧＰＳ電波に基づいて車両の現在位置を検出する。操作部１３は、機械的に配設されたキーや表示部１５に表示されたタッチパネルキーから構成され、ユーザの操作を受付ける。記憶部１４は、通信装置２からシリアル通信インタフェース部１７に入力されたＷｅｂ情報を記憶する。
【００１４】
表示部１５は、地上波デジタル放送局１８から地上波デジタル放送受信機１１により受信されたデジタル放送の画像を表示したり、通信装置２から入力されて記憶部１４に記憶されているＷｅｂ情報の画像を表示したりする。音声出力部１６は、地上波デジタル放送局１８から地上波デジタル放送受信機１１により受信されたデジタル放送の音声を出力する。尚、この場合、これら通信装置２および制御装置３は、周知のカーナビゲーション装置により構成されていても良い。
【００１５】
Ｗｅｂ情報提供サーバ９は、制御部１９、第１の携帯電話無線部２０、第２の携帯電話無線部２１、狭域無線部２２およびＷｅｂ情報データベース２３を備えて構成されている。制御部１９は、ＣＰＵ、ＲＡＭ、ＲＯＭおよびＩ／Ｏバスなどから構成されており、制御プログラムを実行してＷｅｂ情報提供サーバ９の動作全般を制御する。
【００１６】
第１の携帯電話無線部２０、第２の携帯電話無線部２１および狭域無線部２２は、それぞれ第１の携帯電話無線方式による携帯電話無線通信、第２の携帯電話無線方式による携帯電話無線通信および狭域無線方式による狭域無線通信を行う。Ｗｅｂ情報データベース２３は、各種のＷｅｂ情報をデータベース化して保持している。尚、詳しくは説明しないが、Ｗｅｂ情報提供サーバ９は、他の機関のＷｅｂ情報提供サーバと接続し、他の機関のＷｅｂ情報提供サーバから最新の情報が受信されることにより、最新のＷｅｂ情報を保持する（Ｗｅｂ情報を逐一更新する）ことが可能になっている。
【００１７】
地上波デジタル放送局１８は、放送装置２４および地上波デジタル放送データベース２５を備えて構成されている。放送装置２４は、地上波デジタル放送データベース２５から地上波デジタル放送（番組）を読出して放送する。顧客管理サーバ２６は、Ｗｅｂ情報提供サーバ９や地上波デジタル放送局１８から顧客管理信号が入力されることにより、Ｗｅｂ情報提供サーバ９から送信されたＷｅｂ情報を閲覧する顧客を管理すると共に、地上波デジタル放送局１８から放送されている地上波デジタル放送を視聴する顧客を管理する。また、課金サーバ２７は、課金処理を行う。尚、上記した構成において、これらＷｅｂ情報提供サーバ９、地上波デジタル放送局１８、顧客管理サーバ２６および課金サーバ２７は、地上波デジタル放送プロバイダ２８により管理されている。
【００１８】
次に、上記した構成の作用について、図２ないし図３を参照して説明する。
制御装置３において、制御部１０は、車両が走行中にある状態では、ＧＰＳ受信機１２に車両の現在位置を定期的に検出させ（ステップＳ１）、車両の現在位置が登録エリア内であるか否かを定期的に判定している（ステップＳ２）。この場合、登録エリアとは、予めユーザにより登録されるもので、ユーザは、観光案内番組を視聴したいエリアを登録エリアとして登録しておく。
【００１９】
ここで、制御部１０は、車両の現在位置が登録エリア内である旨を検出するとステップＳ２にて「ＹＥＳ」）、地上波デジタル放送局１８から放送されている地上波デジタル放送を地上波デジタル放送受信機１１に受信させ、地上波デジタル放送局１８から地上波デジタル放送受信機１１により受信されている地上波デジタル放送をＧＰＳ受信機１２により検出された車両の現在位置に基づいて自動選局する（ステップＳ３）。
【００２０】
具体的に説明すると、制御部１０は、各地域の観光案内番組の局番号（チャンネル番号）がデータベース化されたテーブルを記憶しており、車両の現在位置に対応する観光案内番組の局番号をテーブルから読出すことにより、地上波デジタル放送局１８から地上波デジタル放送受信機１１により受信されている多数の地上波デジタル放送のうちから車両の現在位置に応じた観光案内番組の地上波デジタル放送を抽出して自動選局する。
【００２１】
そして、制御部１０は、自動選局された地上波デジタル放送を表示部１５に表示させると共に音声出力部１６から音声出力させる（ステップＳ４）。これにより、図３（ａ）に示すように、地上波デジタル放送による表示画面が表示部１５に表示され、ユーザは、走行している地域の観光案内番組を視聴することができる。
【００２２】
さて、制御部１０は、地上波デジタル放送局１８から地上波デジタル放送受信機１１に受信されている地上波デジタル放送を表示部１５に表示させるときに、
地上波デジタル放送に含まれている文字データを解析することにより、メニューを表示部１５に表示させる。この場合、ユーザは、表示部１５に表示されているメニューを選択することができる。具体的に説明すると、ユーザは、図３（ａ）に示すように、例えば「グルメ」、「ショッピング」、「お土産」、「温泉」、「レジャー施設」、「交通情報」および「天気情報」がメニューとして表示されている場合であれば、これらのメニューのうちからいずれかを選択することができる。ここで、制御部１０は、操作部１３が操作されたことにより、いずれかのメニューが選択された旨を検出すると（ステップＳ５にて「ＹＥＳ」）、接続指示信号をシリアル通信インタフェース部１７から通信装置２に出力させる（ステップＳ６）。
【００２３】
通信装置２において、制御部４は、制御装置３から接続指示信号がシリアル通信インタフェース部８に入力されたか否かを監視しており（ステップＴ１）、制御装置３から接続指示信号がシリアル通信インタフェース部８に入力された旨を検出すると（ステップＴ１にて「ＹＥＳ」）、第１の携帯電話無線部５、第２の携帯電話無線部６および狭域無線部７のいずれかによりＷｅｂ情報提供サーバ９４と接続させ（無線通信リンクを確立させ）（ステップＴ２）、リクエスト信号をＷｅｂ情報提供サーバ９に送信させる（ステップＴ３）。この場合、制御部４は、ユーザがメニューのうちから例えば「温泉」を選択した（操作部１３にて「４」ボタンが操作された）場合であれば、「温泉」というキーワードを含めたリクエスト信号をＷｅｂ情報提供サーバ９に送信させることになる。
【００２４】
そして、制御部４は、Ｗｅｂ情報提供サーバ９からリクエスト信号に対応したＷｅｂ情報がダウンロードされたか否かを判定し（ステップＴ４）、Ｗｅｂ情報提供サーバ９からリクエスト信号に対応したＷｅｂ情報がダウンロードされた旨を検出すると（ステップＴ４にて「ＹＥＳ」）、Ｗｅｂ情報提供サーバ９からダウンロードされたＷｅｂ情報をシリアル通信インタフェース部８から制御装置３に出力させる（ステップＴ５）。
【００２５】
制御装置３において、制御部１０は、通信装置２からＷｅｂ情報がシリアル通信インタフェース部１７に入力されたか否かを監視しており（ステップＳ７）、通信装置２からＷｅｂ情報がシリアル通信インタフェース部１７に入力された旨を検出すると（ステップＳ７にて「ＹＥＳ」）、Ｗｅｂ情報を記憶部１４に記憶させ（ステップＳ８）、Ｗｅｂ情報を表示部１５に表示させる（ステップＳ９）。これにより、図３（ｂ）に示すように、Ｗｅｂ情報による表示画面が表示部１５に表示され、ユーザは、走行している地域の観光案内番組から詳細なＷｅｂ情報を閲覧することができる。
【００２６】
ところで、上記した構成では、地上波デジタル放送局１８から地上波デジタル放送受信機１１に受信されている地上波デジタル放送をＧＰＳ受信機１２により検出された車両の現在位置に基づいて自動選局する構成を説明したものであるが、ユーザが位置を指定することにより、地上波デジタル放送局１８から地上波デジタル放送受信機１１に受信されている地上波デジタル放送をユーザにより指定された位置に基づいて自動選局することも可能である。また、地上波デジタル放送局１８から受信されているデジタル放送をリアルタイムで表示したり音声出力したりする構成に限らず、地上波デジタル放送局１８から受信されているデジタル放送を記憶部１４に一時的に記憶（録画）しておき、例えばユーザが希望する時点でデジタル放送を再生することも可能である。
【００２７】
以上に説明したように本実施形態によれば、車載情報提供システム１において、
Ｗｅｂ情報提供サーバ９からダウンロードされたＷｅｂ情報と地上波デジタル放送局１８から受信されたデジタル放送とを切替えて表示したり音声出力したりするように構成したので、ユーザが必要とする情報を地上波デジタル放送で受信することにより、Ｗｅｂ情報提供サーバ９からダウンロードするＷｅｂ情報のデータ量を低減することができ、ユーザ側の負担を軽減することができる。
【００２８】
また、地上波デジタル放送局１８から受信されている地上波デジタル放送を車両の現在位置に基づいて自動選局して表示したり音声出力したりするように構成したので、車両の現在位置に特化した番組（例えば現在位置の観光案内番組など）をユーザに自動的に提供することができ、ユーザが好んで視聴する可能性の高い番組をユーザに自動的に提供することができる。
【００２９】
また、地上波デジタル放送局１８から受信されている地上波デジタル放送をユーザにより指定された位置に基づいて自動選局して表示したり音声出力したりするように構成したので、ユーザが指定した位置に特化した番組（例えば目的地の観光案内番組など）をユーザに自動的に提供することができ、この場合も、ユーザが好んで視聴する可能性の高い番組をユーザに自動的に提供することができる。
【００３０】
さらに、地上波デジタル放送局１８から受信されているデジタル放送のうちメニューを表示し、ユーザがメニューを選択すると、選択されたメニューに対応するＷｅｂ情報をＷｅｂ情報提供サーバ９からダウンロードさせて表示するように構成したので、ユーザがデジタル放送を視聴している途中で例えば好みのメニューを選択すると、その選択されたメニューに関連するＷｅｂ情報をＷｅｂ情報提供サーバ９から受信させてユーザに提供することができ、使い勝手を高めることができる。
【００３１】
本発明は、上記した実施形態にのみ限定されるものではなく、以下のように変形または拡張することができる。
デジタル放送としては、地上波デジタル放送を適用する構成に限らず、ＢＳデジタル放送やＣＳデジタル放送を適用する構成であっても良い。
携帯電話無線部の携帯電話無線方式は、ＰＤＣやＰＨＳなどの他のものであっても良い。
通信装置の制御部と制御装置の制御部とが協働して制御する構成に限らず、通信装置と制御装置とが一体化されることにより、１つの制御部が制御する構成であっても良い。
【図面の簡単な説明】
【００３２】
【図１】本発明の一実施形態を示す機能ブロック図
【図２】フローチャート
【図３】表示画面の一例を示す図
【符号の説明】
【００３３】
図面中、１は車載情報提供システム、５は第１の携帯電話無線部（Ｗｅｂ情報受信手段）、６は第２の携帯電話無線部（Ｗｅｂ情報受信手段）、９はＷｅｂ情報提供サーバ、１０は制御部（制御手段）、１１は地上波デジタル放送受信機（デジタル放送受信手段）、１２はＧＰＳ受信機（現在位置検出手段）、１３は操作部（位置指定手段、メニュー選択手段）、１５は表示部（出力手段）、１６は音声出力部（出力手段）、１８は地上波デジタル放送局（デジタル放送局）である。
【図１】
2005027231.tif 000003
【図２】
2005027231.tif 000004
【図３】
2005027231.tif 000005